(57)【特許請求の範囲】
【請求項１】
物体側から、順に、第１レンズとしての物体側に凹を向けた正屈折力のメニスカスレンズ、明るさ絞り、第２レンズとしての物体側に凸を向けた正屈折力のレンズ、第３レンズとしての像側に凸を向けた負屈折力のメニスカスレンズ、第４レンズとしての正屈折力のレンズが配置されており、
次の条件式を満たすことを特徴とする結像光学系。
０．３  ＜  ｆ１２／ｆ  ＜  ２．０
−０．３０  ＜  ｆ１２／ｆ３４  ＜  ０．６０
ただし、ｆ１２は前記第１レンズと前記第２レンズとの合成焦点距離、ｆ３４は前記第３レンズと前記第４レンズとの合成焦点距離、ｆは前記結像光学系全系の焦点距離である。
【請求項２】
請求項１において、前記第４レンズの物体側もしくは像側の面のうち少なくとも１つが非球面であることを特徴とする結像光学系。
【請求項３】
前記第１レンズ、前記第２レンズ、前記第３レンズおよび前記第４レンズのうち一部のレンズはプラスチックレンズであり、
前記結像光学系の全長をＴＬ、前記結像光学系を構成するプラスチックレンズにおける最小軸上肉厚をＭＬとしたとき、次の条件式を満足することを特徴とする請求項１に記載の結像光学系。
０．０２  ＜  ＭＬ／ＴＬ  ＜  ０．１５
【請求項４】
請求項１乃至３のいずれかに記載の結像光学系を備えた電子機器。
【請求項５】
複数の画素を有する撮像素子と、請求項１に記載の結像光学系とを備え、
前記結像光学系の開放ＦナンバーをＦｎｏ、前記撮像素子の画素間隔をＰとするとき、次の条件式を満足することを特徴とする電子機器。
０．３０［１／μｍ］  ＜  Ｆｎｏ／Ｐ［μｍ］  ＜  ２．４０［１／μｍ］
【発明の詳細な説明】
【技術分野】
【０００１】
本発明はＣＣＤやＣＭＯＳなどの固体撮像素子等と組み合わせて用いられる結像光学系に関するものであり、例えばデジタルスチルカメラ、デジタルビデオカメラ、携帯電話やパソコンに搭載される小型カメラ、監視カメラ等に利用できるものである。また、この結像光学系を用いた、デジタルスチルカメラ、デジタルビデオカメラ、携帯電話やパソコン等の電子機器に関する。
【背景技術】
【０００２】
近年、銀塩フイルムに代わり、ＣＣＤやＣＭＯＳのような固体撮像素子を用いて被写体を撮影するようにした電子カメラが普及してきている。このような電子カメラのうち、携帯型コンピュータや携帯電話等に搭載される撮像ユニットでは特に小型、軽量化が求められている。
このような撮像ユニットに用いる結像光学系として、従来よりレンズ枚数を１枚乃至３枚で構成したものがある。しかしながら、このような構成では屈折面数が足りないため、軸上色収差と像面湾曲が両立せず高い性能は望めない。また、レンズ面を非球面形状にすることで、この間題を回避しようとすると、面数が少ないため、一面一面の非球面量が大きくなり、従って偏心感度が大きくなり製造上困難である。
これらの問題を考慮したものとして、正負正のトリプレットの物体側にメニスカスレンズを付加して、性能と生産性を向上させた光学系が提案されている。このようなレンズタイプの光学系の従来例として、次の特許文献に記載された光学系が知られている。
【特許文献１】特開平11−084234号公報
【特許文献２】特開平11−249013号公報
【特許文献３】特開2000−171697号公報
【発明の開示】
【発明が解決しようとする課題】
【０００３】
上記特許文献２に記載されている光学系は、第１レンズが物体側に凸の正レンズとして構成されている。この構成では、画角を大きくすることが困難であり、レンズ外形も大きくなる。特許文献２に記載される光学系は、大型であり、大きな画角を達成できない。
特許文献３に記載される光学系は、第３レンズが両凹のレンズとして構成されている。この構成では第３レンズの射出側の面においてコマ収差が発生しやすく、従って、画角を大きくできない。
特許文献１に記載される光学系は、第１レンズが物体側に凹のメニスカスレンズとして構成されている。従って、特許文献２および３に記載の光学系に比べ、画角の大きい光学系となっている。しかし、これは、前絞り光学系であり、光学系の対称性が悪いことから、さらなる高画角化を達成することが困難であり、半画角２４゜程度である。
本発明はこのような問題点に鑑みてなされたものであり、その目的は低コスト化、広画角化、高性能化、小型化を同時に満たす結像光学系を提供することである。
【課題を解決するための手段】
【０００４】
上記目的を達成するために、本発明の結像光学系は、物体側から、順に、第１レンズとしての物体側に凹を向けた正屈折力のメニスカスレンズ、明るさ絞り、第２レンズとしての物体側に凸を向けた正屈折力のレンズ、第３レンズとしての像側に凸を向けた負屈折力のメニスカスレンズ、第４レンズとしての正屈折力のレンズが配置されており、次の条件式を満たすことを特徴とする。
０．３  ＜  ｆ１２／ｆ  ＜  ２．０
−０．３０  ＜  ｆ１２／ｆ３４  ＜  ０．６０
ただし、ｆ１２は前記第１レンズと前記第２レンズとの合成焦点距離、ｆ３４は前記第３レンズと前記第４レンズとの合成焦点距離、ｆは前記結像光学系全系の焦点距離である。
【０００５】
また、本発明による結像光学系は、物体側から、順に、第１レンズとしての物体側に凹を向けた正屈折力のメニスカスレンズ、明るさ絞り、第２レンズとしての物体側に凸を向けた正屈折力のレンズ、第３レンズとしての像側に凸を向けた負屈折力のメニスカスレンズ、第４レンズとしての正屈折力のレンズが配置されており、かつ、前記第４レンズの物体側もしくは像側の面のうち少なくとも１つが非球面であることを特徴とする。
【０００８】
また、本発明による結像光学系は、前記第１レンズ、前記第２レンズ、前記第３レンズおよび前記第４レンズのうち一部のレンズはプラスチックレンズであり、前記結像光学系の全長をＴＬ、前記結像光学系を構成するプラスチックレンズにおける最小軸上肉厚をＭＬとしたとき、次の条件式を満足することを特徴とする請求項１に記載の結像光学系。
０．０２  ＜  ＭＬ／ＴＬ  ＜  ０．１５
【０００９】
また、上記目的を達成するため、本発明による電子機器は、上記の結像光学系を備えることを特徴とする。
さらに、上記目的を達成するため、本発明による電子機器は、複数の画素を有する撮像素子と、上記の結像光学系とを備え、前記結像光学系の開放ＦナンバーをＦｎｏ、前記撮像素子の画素間隔をＰとするとき、次の条件式を満足することを特徴とする。
０．３０［１／μｍ］  ＜  Ｆｎｏ／Ｐ［μｍ］  ＜  ２．４０［１／μｍ］
【発明の効果】
【００１０】
本発明によれば、製造誤差に対する性能劣化が少なく、小型化しても高性能な結像光学系を得ることができる。
【発明を実施するための最良の形態】
【００１１】
本発明の実施例の説明に先立ち本発明の構成による作用、効果を説明する。
本発明の結像光学系では、物体側から、順に、物体側に凹を向けた正屈折力の第１メニスカスレンズ、明るさ絞り、物体側に凸を向けた正屈折力の第２レンズ、像側に凸を向けた負屈折力の第３メニスカスレンズ、正屈折力の第４レンズを配置している。
本発明の結像光学系は、性能と小型化を考慮して、上記のような第１レンズ、第２レンズ、第３レンズおよび第４レンズの４枚のレンズで構成している。ここで、結像光学系を構成するレンズの枚数を５枚以上にすれば、さらに性能が向上するのは明らかである。しかしながら、レンズが１枚増えることによるレンズの厚さ、レンズの間隔、枠のスペースが大になり、光学系が大型化するのは避けられない。また、「背景技術」で先に述べたようにレンズが３枚以下では、軸上色収差と像面湾曲の両立が困難である。また、非球面を多用して性能を確保したとしても、偏心感度が大きくなり、製造上困難である。従って、４枚のレンズで結像光学系を構成するのが性能、大きさともに最適である。
【００１２】
また、本発明の結像光学系では、正屈折力の第１レンズは物体側に凹面を持つメニスカスレンズで構成している。これにより、最も物体側の面が負パワーとなるため、広角な光学系を達成することができる。
【００１３】
また、本発明の結像光学系は、明るさ絞りの位置を第１レンズと第２レンズの間に配置している。
例えばＣＣＤのような撮像素子を用いた場合、良好な集光性能を維持するために撮像素子への光線入射角度を小にする必要がある。そのためには、明るさ絞り、あるいは、明るさ絞りの像を、像面から遠い位置に配置することが望ましい。また、広角な光学系は、画面周辺部のディストション及び倍率色収差の発生を低減させる必要がある。そのためには光学系のパワー配置が対称になる位置に、明るさ絞りを配置させることが望ましい。このような理由から、本発明では、第１レンズと第２レンズの間に明るさ絞りを配置している。このような構成により、広角とテレセントリック性を重視した光学系を実現できる。
【００１４】
また、本発明の結像光学系は、第３レンズを像側に凸を向けた負メニスカスレンズとしている。このような構成にすることで、入射光線と射出光線のなす角度、すなわち偏角を小さく保つことができ、各屈折面における収差の発生量を極力小にすることができる。また、無偏心時の収差の発生量が小であることから、レンズの相対偏心時における性能変動についても極力小にすることが可能である。
【００１５】
また、本発明の結像光学系は、第４レンズの物体側もしくは像側の面のうち、少なくとも１つの面を非球面にしたことを特徴としている。この構成において、第４レンズは、撮像素子への光線入射角度を小さくするために、周辺の光線を内側に大きく屈折させている。その際、収差が発生し易くなるため、少なくとも１つの面を非球面とし、第４レンズへの入射光線と射出光線とがなす角度、すなわち偏角が最小となるような形状にしている。このようにすることで、収差の発生を抑制しつつ、撮像素子への光線入射角度を小さくすることが可能である。
【００１６】
本発明の結像光学系は、第１レンズと第２レンズとの合成パワーを強い正のパワーにしている。そして、第３レンズと第４レンズとの合成パワーを弱い正のパワー、または、負パワーにしている。このようにすることにより、結像光学系全長を小さくしている。そのため、このタイプのパワー配置に対して、全長と性能をバランスよく達成させる為には、次の条件式を満たすのが好ましい。
０．３  ＜  ｆ１２／ｆ    ＜  ２．０
−０．３０ ＜  ｆ１２／ｆ３４  ＜  ０．６０
ただし、ｆ１２は第１レンズと第２レンズとの合成焦点距離、ｆ３４は第３レンズと第４レンズとの合成焦点距離、fは結像光学系全系の焦点距離である。
すなわち、この条件式の上限を超えると、第１レンズと第２レンズとの合成パワーが小さくなるので全長短縮に不利である。他方、この下限を下回ると、第１レンズと第２レンズとの合成パワーが大きくなる。それに伴い第３レンズと第４レンズのパワーも負側に強くしなければならず、各レンズで発生する収差が増大し、性能を確保するのが困難となる。
なお、次の条件式を満たすことが好ましい。
０．５  ＜  ｆ１２／ｆ    ＜１．５
−０．１０ ＜  ｆ１２／ｆ３４  ＜０．４０
なお、さらには次の条件式を満たすことが好ましい。
０．７  ＜  ｆ１２／ｆ    ＜１．０
−０．０７ ＜  ｆ１２／ｆ３４  ＜０．３０
【００１７】
本発明の結像光学系において、その画角を大きくとるためには、最も物体側の入射面を適度に負パワーにする必要がある。従って、第１レンズの曲率半径が重要となってくる。そのため次の条件式を満たすのが良い。
−０．５０  ＜  ｆ／ｒ１ｆ  ＜  ０
ただし、ｆは結像光学系全系の焦点距離、ｒ１ｆは第１レンズの物体側の曲率半径である。
この条件式の上限を超えると、第１面のパワーが小さくなりすぎ、広角な光学系を達成できなくなる。他方、下限を下回ると、第１面のパワーが大きくなりすぎ、第１面で発生する球面収差の補正が困難となる。また、主点位置が像面側に移動するため、全長が長くなり、小型化を達成できなくなる。
なお、次の条件式を満たすことが好ましい。
−０．３０  ＜  ｆ／ｒ１ｆ  ＜  ０
なお、さらには次の条件式を満たすことが好ましい。
−０．２０  ＜  ｆ／ｒ１ｆ  ＜  −０．０１
【００１８】
また、本発明の結像光学系では、第４レンズは撮像素子への光線入射角度を小さくするために重要なレンズである。従って、以下の条件を満足することが重要である。
０．５  ＜  ｆ４／ｆ  ＜  ２．０
ただし、ｆ４は第４レンズの焦点距離、ｆは結像光学系全系の焦点距離である。
この条件式の上限を超えると、第４レンズのパワーが小さくなりすぎ、撮像素子への光線入射角度が大きくなる。その結果として、画面中心と周辺での明るさの違いが顕著になってしまう。他方、下限を下回ると、撮像素子への光線入射角度が補正過剰になる。加えて、第４レンズのパワーが大きくなることで、光学系全系の主点位置が像側に移動し、全長が長くなる。そこで、次の条件式を満たすことが好ましい。
０．７  ＜  ｆ４／ｆ  ＜  １．６
なお、さらには次の条件式を満たすことが好ましい。
０．９  ＜  ｆ４／ｆ  ＜  １．２
【００１９】
撮像素子としてＣＣＤを用いる場合、いわゆるシェーディングという現象が発生する。これは、光学系から射出された軸外光束が像面に対してあまりに大きな角度で入射すると、画像中央部と画像周辺部で画像の明るさが変化する（異なる）現象である。一方、像面に対して小さい角度で入射させるとこの問題は軽減されるが、他方で、結像光学系の全長が大きくなる。そのため次の条件式を満たすのが良い。
０．５  ＜  ＥＸＰ／ｆ  ＜  ２．５
ただし、ＥＸＰは像面からの射出瞳までの距離、ｆは結像光学系全系の焦点距離である。
この条件式の上限を超えると、結像光学系の全長が大きくなる。他方、下限を下回ると、ＣＣＤへの入射角が大きくなりすぎ画像周辺部の明るさが低下する。そこで、次の条件式を満たすことが好ましい。
０．８  ＜  ＥＸＰ／ｆ  ＜  ２．０
なお、さらには、次の条件式を満たすことが好ましい。
１．２  ＜  ＥＸＰ／ｆ  ＜  １．６
【００２０】
また、本発明の結像光学系において、正屈折力の第４レンズをプラスチックで構成することができる。このように構成することにより、軽量化および製作コストの低減を図ることができる。
【００２１】
また、本発明の結像光学系において、負屈折力の第３メニスカスレンズをプラスチックで構成することができる。このように構成することにより、軽量化および製作コストの低減を図ることができる。
【００２２】
また、結像光学系の開放ＦナンバーをＦno、撮像素子の画素間隔をＰとするとき、次の条件式を満足することを特徴とするのが良い。
０．３０［１／μｍ］＜Ｆno／Ｐ［μｍ］＜２．４０［１／μｍ］
この条件式の上限を上回ると、光学系が暗くなり過ぎる。あるいは、画素間隔が小さくなり過ぎることにより、１画素あたりの光量が少なくなってしまう。従って、シャッター速度が遅くなり、手ぶれを引き起こしたり、長時間露光によりノイズが増加する原因となる。他方、下限を下回ると、画素間隔が大きくなり過ぎ、高画素な撮像データが得られなくなる。
【００２３】
なお、本発明の結像光学系は、次の条件式を満たすのが、より良い。
０．４０［１／μｍ］＜Ｆno／Ｐ［μｍ］＜１．９０［１／μｍ］
なお、本発明の結像光学系は、次の条件式を満たすのが、更に良い。
０．５０［１／μｍ］＜Ｆno／Ｐ［μｍ］＜１．４０［１／μｍ］
【００２４】
また、前記第１レンズ、前記第２レンズ、前記第３レンズおよび前記第４レンズのうち一部のレンズはプラスチックレンズであり、結像光学系の全長をＴＬ、プラスチックレンズにおける最小軸上肉厚をＭＬとしたとき、次の条件式を満足するのが良い。
０．０２  ＜  ＭＬ／ＴＬ  ＜  ０．１５
この条件式の上限を上回ると、結像光学系の全長に対して、結像光学系に含まれるプラスチックレンズの最小軸上肉厚が大きすぎることになる。そのため、そのプラスチックレンズとともに配置されるガラスレンズの中心肉厚に対して必要な間隔を、結像光学系中に十分に確保できず、そのガラスレンズを非常に薄く加工しなければならなくなってしまう。他方、下限を下回ると、結像光学系に含まれるプラスチックレンズの最小軸上肉厚が小さ過ぎるため、成型時にプラスチック樹脂を成型型にスムーズに注入しにくくなってしまう。その結果、応力がかかって複屈折が生じたりして、成型に時間がかかり、生産性が悪化してしまう。
【００２５】
なお、本発明の結像光学系は、次の条件式を満たすのが、より良い。
０．０４＜ＭＬ／ＴＬ＜０．１２
なお、本発明の結像光学系は、次の条件式を満たすのが、更に良い。
０．０６＜ＭＬ／ＴＬ＜０．０９
【００２６】
また、電子機器は、上記の結像光学系を備えるのが好ましい。
【実施例】
【００２７】
以下、本発明の実施例について図面を用いて説明する。
第１実施例
図１は本発明による結像光学系の第１実施例であって、光学構成を示す光軸に沿う断面図である。図２は第１実施例にかかる光学系の合焦時における球面収差、非点収差、歪曲収差を示す図である。
図１において、この結像光学系は、物体側Ｘから順に、正屈折力のメニスカスレンズＬ１１、明るさ絞りＳ、正屈折力のレンズＬ１２、負屈折力のメニスカスレンズＬ１３、正屈折力のレンズＬ１４から構成されている。図中、Ｉは撮像素子の撮像面である。また、これらのレンズＬ１１，Ｌ１２，Ｌ１３およびＬ１４の両面は非球面である。
正屈折力のメニスカスレンズＬ１１は、第１レンズである。この正屈折力のメニスカスレンズＬ１１は、物体側に凹面を向けている。正屈折力のレンズＬ１２は、第２レンズである。負屈折力のメニスカスレンズＬ１３は、第３レンズである。この負屈折力のメニスカスレンズＬ１３は、像側に凸面を向けている。正屈折力のレンズＬ１４は、第４レンズである。
本実施例では、これらの全レンズはプラスチックで構成している。ここで用いるプラスチック材料としては第１レンズＬ１１、第２レンズＬ１２および第４レンズＬ１４にはポリオレフイン系のゼオネックス（登録商標）を使用し、第３レンズＬ１３にはポリカーボネートを用いている。
また、結像光学系の像面には、１／３インチ、２００万画素（画素間隔Ｐ＝３．０μｍ）の撮像素子が配置されている。
また本実施例のスペックは、焦点距離4．30mm、Ｆno（開放Fナンバー）4．0、像高3.0mmであり、半画角35゜の広角の光学系である。
【００２８】
次に、第１実施例の光学結像系を構成する光学部材の数値データを示す。
なお、第１実施例の数値データにおいて、ｒ1、ｒ2、…は各レンズ面の曲率半径、ｄ1、ｄ2、…は各レンズの肉厚または空気間隔、ｎd1、ｎd2、…は各レンズのｄ線での屈折率、νd1、νd2、…は各レンズのアッべ数、Ｆno．はＦナンバー、ｆは全系焦点距離、Ｄ０は物体から第１面までの距離を表している。
なお、非球面形状は、光軸方向をｚ、光軸に直交する方向をｙにとり、円錐係数をＫ、非球面係数をＡ4、Ａ6、Ａ8、Ａ10としたとき、次の式で表される。
ｚ＝（ｙ2／ｒ）／［１＋｛１−（１＋Ｋ）（ｙ／ｒ）2｝1/2］
＋Ａ4ｙ4＋Ａ6ｙ6＋Ａ8ｙ8＋Ａ10ｙ10
なお、これらの記号は後述の実施例の数値データにおいても共通である。
【００２９】
数値データ１（第１実施例：図１）
物体面  ∞
ｒ1＝-271.81（非球面）
ｄ1＝0.66          ｎd1＝1.5256          νd1＝56.4
ｒ2＝-5.10（非球面）
ｄ2＝0.05
ｒ3＝∞（絞り）
ｄ3＝0.05
ｒ4＝3.28（非球面）
ｄ4＝0.61          ｎd4＝1.5256          νd4＝56.4
ｒ5＝-9.12（非球面）
ｄ5＝0.99
ｒ6＝-0.57（非球面）
ｄ6＝0.50          ｎd6＝1.5839          νd6＝30.2
ｒ7＝-1.09（非球面）
ｄ7＝0.05
ｒ8＝2.17（非球面）
ｄ8＝2.00          ｎd8＝1.5256          νd8＝56.4
ｒ9＝236.09（非球面）
ｄ9＝1.55
Ｐ＝∞  （撮像面）
【００３０】
非球面係数
第１面
Ｋ＝−2.7210×105
A4=−6.7464×10-2     A6= 1.1364×10-2
第２面
Ｋ＝2.3300
A4=−6.1688×10-3     A6=5.7802×10-3
第4面
Ｋ＝6.1445
A4=4.6994×10-2       A6=−2.0949×10-2
第5面
Ｋ＝0
A4=−1.8079×10-2     A6=−4.4733×10-2
第６面
Ｋ＝−8.4960×10-1
A4=3.1949×10-1       A6=−1.2238×10-1
第７面
Ｋ＝−8.4248×10-1
A4=7.3059×10-2       A6= 2.5423×10-2
第８面
Ｋ＝−1.1014×10
A4=1.4291×10-3
第９面
Ｋ＝−1.8617×1011
A4=1.1536×10-3       A6=−4.1752×10-4
【００３１】
第２実施例
図２は本発明による結像光学系の第２実施例であって、光学構成を示す光軸に沿う断面図である。図５は第２実施例にかかる光学系の合焦時における球面収差、非点収差、歪曲収差を示す図である。
図２において、この結像光学系は、物体側Ｘから順に、正屈折力のメニスカスレンズＬ２１、明るさ絞りＳ、正屈折力のレンズＬ２２、負屈折力のメニスカスレンズＬ２３、正屈折力のレンズＬ２４から構成されている。図中、Ｉは撮像素子の撮像面である。また、これらのレンズＬ２１，Ｌ２２，Ｌ２３およびＬ２４の両面は非球面である。
正屈折力のメニスカスレンズＬ２１は、第１レンズである。この正屈折力のメニスカスレンズＬ２１は、物体側に凹面を向けている。正屈折力のレンズＬ２２は、第２レンズである。負屈折力のメニスカスレンズＬ２３は、第３レンズである。この負屈折力のメニスカスレンズＬ２３は、像側に凸面を向けている。正屈折力のレンズＬ２４は、第４レンズである。
本実施例では、これらの全レンズはプラスチックで構成している。ここで用いるプラスチック材料としては、第１レンズＬ２１、第２レンズＬ２２および第４レンズＬ２４にはポリオレフイン系のゼオネックス（登録商標）を使用し、第３レンズＬ２３にはポリカーボネートを用いている。
また、結像光学系の像面には、１／３インチ、３００万画素（画素間隔Ｐ＝２．４μｍ）の撮像素子が配置されている。
また本実施例のスペックは、焦点距離4．90mm、Ｆno（開放Fナンバー）3．0、像高3.0mmであり、半画角31゜の広角の光学系である。
【００３２】
次に、第２実施例の光学結像系を構成する光学部材の数値データを示す。
数値データ２（第２実施例：図２）
物体面  ∞
ｒ1＝−300.00（非球面）
ｄ1＝0.58          ｎd1＝1.5256    νd1＝56.4
ｒ2＝-4.47（非球面）
ｄ2＝0.05
ｒ3＝∞  （絞り）
ｄ3＝0.18
ｒ4＝3.09（非球面）
ｄ4＝0.73          ｎd4＝1.5256    νd4＝56.4
ｒ5＝39.05（非球面）
ｄ5＝0.79
ｒ6＝-0.71（非球面）
d6＝0.50           ｎd6＝1.5839    νd6＝30.2
ｒ7＝-1.34（非球面）
ｄ7＝0.07
ｒ8＝2.58（非球面）
ｄ8＝2.00           ｎd8＝1.5256    νd8＝56.4
ｒ9＝172.93（非球面）
ｄ9＝2.13
Ｐ＝∞  （撮像面）
【００３３】
非球面係数
第１面
Ｋ＝−7.8982×104
A4=−6.4843×10-2    A6=−6.6742×10-3
第２面
Ｋ＝2.3300
A4=−6.1688×10-3    A6=5.7802×10-3
第4面
Ｋ＝7.8059
A4=−4.7936×10-2    A6=7.9572×10-3
第5面
Ｋ＝0
A4=−7.8795×10-4    A6=−1.8639×10-2
A8=−7.5368×10-3
第６面
Ｋ＝−9.2508×10-1
A4=2.3395×10-1      A6=−6.4281×10-2
A8=4.9060×10-4
第７面
Ｋ＝−1.0226
A4=8.2018×10-2      A6=1.6439×10-2
A8=−7.2317×10-4
第８面
Ｋ＝−1.2345×10
A4=6.7656×10-4      A6=−3.6700×10-5
第９面
Ｋ＝−1.8617×1011
A4=1.4777×10-3      A6=−8.6051×10-4
【００３４】
図３は本発明による結像光学系の第３実施例であって、光学構成を示す光軸に沿う断面図である。図７は第３実施例にかかる光学系の合焦時における球面収差、非点収差、歪曲収差を示す図である。
図３において、この結像光学系は、物体側Ｘから順に、正屈折力のメニスカスレンズＬ３１、明るさ絞りＳ、正屈折力のレンズＬ３２、負屈折力のメニスカスレンズＬ３３、正屈折力のレンズＬ３４から構成されている。図中、Ｉは撮像素子の撮像面である。また、これらのレンズＬ３１，Ｌ３２，Ｌ３３およびＬ３４の両面は非球面である。
正屈折力のメニスカスレンズＬ３１は、第１レンズである。この正屈折力のメニスカスレンズＬ３１は、物体側に凹面を向けている。正屈折力のレンズＬ３２は、第２レンズである。負屈折力のメニスカスレンズＬ３３は、第３レンズである。この負屈折力のメニスカスレンズＬ３３は、像側に凸面を向けている。正屈折力のレンズＬ３４は、第４レンズである。
本実施例では第１レンズＬ３１はガラスで構成されている。また、第２レンズＬ３２、第３レンズＬ３３および第４レンズＬ３４はプラスチックで構成されている。ここで用いるプラスチック材料としては、第３レンズＬ３３にはポリカーボネートを使用し、第２レンズＬ３２および第４レンズＬ３４はポリオレフイン系のゼオネックス（登録商標）を用いている。
また、結像光学系の像面には、１／３インチ、２００万画素（画素間隔Ｐ＝３．０μｍ）の撮像素子が配置されている。
また本実施例のスペックは、焦点距離4．90mm、Ｆno（開放Fナンバー）2．8、像高3．0mmであり、半画角31゜の広角の光学系である。
【００３５】
次に、第３実施例の光学結像系を構成する光学部材の数値データを示す。
数値データ３（第３実施例：図３）
物体面  ∞
ｒ1＝−193.36（非球面）
ｄ1＝0.69          ｎd1＝1.5831        νd1＝59.4
ｒ2＝−3.28（非球面）
ｄ2＝0.05
ｒ3＝∞  （絞り）
ｄ3＝0.08
ｒ4＝4.47（非球面）
ｄ4＝0.64          ｎd4＝1.5256        νd4＝56.4
ｒ5＝11.35（非球面）
ｄ5＝0.92
ｒ6＝−0.78（非球面）
ｄ6＝0.50           ｎd6＝1.5839        νd6＝30.2
ｒ7＝−1.38（非球面）
ｄ7＝0.05
ｒ8＝2.84（非球面）
ｄ8＝2.00           ｎd8＝1.5256        νd8＝56.4
ｒ9＝231.45（非球面）
ｄ9＝2.09
Ｐ＝∞  （撮像面）
【００３６】
非球面係数
第１面
Ｋ＝−2.6850×105
A4=−6.2047×10-2    A6=2.8252×10-3
第２面
Ｋ＝6.6594×10-1
A4=−1.2310×10-2    A6=−5.3142×10-4
第4面
Ｋ＝7.5902
A4=4.6552×10-2      A6=−2.3834×10-3
第5面
Ｋ＝0
A4=−4.8378×10-3    A6=−7.5951×10-3
第６面
Ｋ＝−8.0643×10-1
A4=2.2939×10-1      A6=−3.7555×10-2
第７面
Ｋ＝−8.9580×10-1
A4=9.5163×10-2      A6=6.4385×10-3
第８面
Ｋ＝−1.0500×10
A4=6.7626×10-5
第９面
Ｋ＝−1.8617×1011
A4=6.3357×10-4      A6=−7.1839×10-4
【００３７】
図４は本発明による結像光学系の第４実施例にかかる光学構成を示す光軸に沿う断面図である。図８は第４実施例にかかる光学系の合焦時における球面収差、非点収差、歪曲収差を示す図である。
図４において、この結像光学系は、物体側Ｘから順に、正屈折力のメニスカスレンズＬ４１、明るさ絞りＳ、正屈折力のレンズＬ４２、負屈折力のメニスカスレンズＬ４３、正屈折力のレンズＬ４４から構成されている。図中、Ｉは撮像素子の撮像面である。また、これらのレンズＬ４１，Ｌ４２，Ｌ４３およびＬ４４の両面は非球面である。
正屈折力のメニスカスレンズＬ４１は、第１レンズである。この正屈折力のメニスカスレンズＬ４１は、物体側に凹面を向けている。正屈折力のレンズＬ４２は、第２レンズである。負屈折力のメニスカスレンズＬ４３は、第３レンズである。この負屈折力のメニスカスレンズＬ４３は、像側に凸面を向けている。正屈折力のレンズＬ４４は、第４レンズである。
本実施例では第１レンズＬ４１はガラスで構成されている。また、第２レンズＬ４２、第３レンズＬ４３および第４レンズＬ４４はプラスチックで構成されている。ここで用いているプラスチック材料としては第３レンズＬ４３にはポリカーボネートが用いられており、第２レンズＬ４２、第４レンズＬ４４にはポリオレフイン系のゼオネックス（登録商標）が使用されている。
また、結像光学系の像面には、１／３インチ、１３０万画素（画素間隔Ｐ＝３．６μｍ）の撮像素子が配置されている。
また本実施例のスペックは、焦点距離4．34mm、Ｆno（開放Fナンバー）2．0、像高3．0mmであり、半画角34゜の広角の光学系である。
【００３８】
次に、第４実施例の光学結像系を構成する光学部材の数値データを示す。
数値データ４（第４実施例：図４）
物体面    ∞
ｒ1＝−30.00（非球面）
ｄ1＝0.62          ｎd1＝1.5831        νd1＝56.4
ｒ2＝−3.39（非球面）
ｄ2＝0.05
ｒ3＝∞  （絞り）
ｄ3＝0.05
ｒ4＝6.47（非球面）
ｄ4＝0.63          ｎd4＝1.5256        νd4＝56.4
ｒ5＝−118.66（非球面）
ｄ5＝1.17
ｒ6＝−0.67（非球面）
ｄ6＝0.50          ｎd6＝1.5839        νd6＝30.2
ｒ7＝−1.15（非球面）
ｄ7＝0.05
ｒ8＝2.34（非球面）
ｄ8＝2.00          ｎd8＝1.5256        νd8＝56.4
ｒ9＝146.49（非球面）
ｄ9＝1.87
Ｐ＝∞  （撮像面）
【００３９】
非球面係数
第１面
Ｋ＝3.0461×102
A4=−5.7968×10-2    A6=−5.0086×10-3
第２面
Ｋ＝1.2822
A4=−3.2530×10-2    A6=6.5877×10-4
第4面
Ｋ＝−1.1766×10
A4=2.5497×10-2      A6=−1.1011×10-2
第5面
Ｋ＝0
A4=−1.3653×10-2    A6=−2.4989×10-2
A8=2.5114×10-3
第６面
Ｋ＝−8.7420×10-1
A4=2.4172×10-1      A6=−3.1173×10-2
A8=1.1131×10-2
第７面
Ｋ＝−6.1720×10-1
A4=8.6272×10-2      A6=2.5730×10-2
A8=1.2117×10-4
第８面
Ｋ＝−8.9329
A4=1.3227×10-3       A6=−7.7576×10-5
第９面
Ｋ＝−1.8617×1011
A4=−4.8201×10-4     A6=−3.6677×10-4
【００４０】
本発明の実施例は一部レンズをプラスチックにて構成しているが、プラスチックをガラスで構成することができる。例えば、本実施例で用いる材料よりも屈折率の高いガラスを用いれば、さらに高性能な光学系にすることが可能である。また特殊低分散ガラスを用いれば色収差の補正にとって有効である。またレンズをプラスチックにて構成する場合には、低吸湿材料を用いることにより、環境変化による性能の劣化を軽減できる。
【００４１】
またゴースト、フレア等の不要光をカットするために、明るさ絞り以外にフレア絞りを用いても良い。このフレアー絞りは、第１レンズの前、第１レンズから明るさ絞りＳの間、明るさ絞りＳから第２レンズの間、第２レンズと第３レンズの間、第３レンズと４レンズの間、第４レンズから像面間のいずれの場所に配置しても良い。このフレアー絞りとしての作用を持たせるためには、枠によりフレア光線をカットする方法でも良い。また、別の部材を設けることによって、フレアー光線をカットする方法でも、いずれでもよい。また光学系に直接印刷したり、塗装したり、シールなどを接着することにより、フレアー絞りを構成しても良い。また絞りの形状としては、円形、楕円形、矩形、多角形、関数曲線で囲まれる範囲等、いかなる形状でも良い。また有害光束をカットするだけでなく画面周辺のコマフレア等の光束をカットするものでも良い。
【００４２】
また、各レンズには反射防止コートを行い、ゴースト、フレアを軽減することができる。マルチコートであれば効果的にゴースト、フレアを軽減できる。また、レンズ面やカバーガラスなどに、赤外カットコートを行っても良い。また、ピント調節を行うためにフォーカシングを行っても良い。フォーカシング方法として、レンズ系全体の繰り出し、一部レンズの繰り出し、もしくは繰り込みがある。
【００４３】
また、画像周辺部の明るさの低下をＣＣＤのマイクロレンズをシフトすることにより軽減させても良い。例えば、各像高における光線の入射角に合わせてＣＣＤのマイクロレンズの設計を変えても良い。また画像処理により画像周辺部の低下量の補正を行ってもよい。
【００４４】
図９（ａ）は撮像光学系に本発明の結像光学系を含んだデジタルカメラの外観を示す前側斜視図、図９（ｂ）は同カメラの後側斜視図である。図において、１は撮影光路２を有する撮影光学系、３はファインダー用光路４を有するファインダー光学系、５はシャッター釦、６はフラッシュ、７は液晶表示モニターである。また、カメラの上部に配置されたシャッター釦５を押すと、それに連動して撮影光学系１を通して撮影が行われるようになっている。
【００４５】
図１０（ａ）は撮像光学系に本発明の結像光学系を含んだ携帯電話の一例の正面図、図１０（ｂ）は同側面図である。図中、１０はマイク部、１１はスピーカ部、１２は入力ダイアル、１３はモニター、１４は撮影光学系、１５は通信電波の送信と受信を行うアンテナである。マイク部１０は操作者の声を情報として入力し、スピーカ部１１は通話相手の声を出力する。入力ダイアル１２は操作者が情報を入力するのに用いられ、モニター１３は操作者自身や通話相手等の撮影像と電話番号等の情報を表示する。アンテナ１５は通信電波の送信と受信を行なう。
撮影光学系１４は、撮影光路１６上に配置された本発明の結像光学系と、像を受光する撮像素子とを有し、これらは携帯電話に内蔵されている。撮像素子の前面にはＩＲカットフィルターが設けられ、また、撮影光学系１４の先端には該光学系を保護するためのカバーガラスが配置されている。撮像素子で受光された物体像は、携帯電話に内蔵された図示しない処理手段に入力され、電子画像としてモニター１３に、または、通信相手のモニターに、または、その両方に表示される。また、通信相手に画像を送信する場合には、上記処理手段に含まれる信号処理機能により、撮像素子で受光された物体像の情報が送信可能な信号へ変換されるようになっている。
【００５１】
実施例１乃至４について上記条件式により計算した数値の表を次に示す。
条件式計算表
0004658517.tif 000002
【図面の簡単な説明】
【００５２】
【図１】本発明による結像光学系に用いるレンズの第１実施例にかかる光学構成を示す光軸に沿う断面図である。
【図２】本発明による結像光学系に用いるレンズの第２実施例にかかる光学構成を示す光軸に沿う断面図である。
【図３】本発明による結像光学系に用いるレンズの第３実施例にかかる光学構成を示す光軸に沿う断面図である。
【図４】本発明による結像光学系に用いるレンズの第４実施例にかかる光学構成を示す光軸に沿う断面図である。
【図５】本発明による結像光学系の第１実施例にかかる光学構成の球面収差、非点収差、歪曲収差を示す図である。
【図６】本発明による結像光学系の第２実施例にかかる光学構成の球面収差、非点収差、歪曲収差を示す図である。
【図７】本発明による結像光学系の第３実施例にかかる光学構成の球面収差、非点収差、歪曲収差を示す図である。
【図８】本発明による結像光学系の第４実施例にかかる光学構成の球面収差、非点収差、歪曲収差を示す図である。
【図９】（ａ）は、本発明の結像光学系を用いたデジタルカメラの概略構成を示す前側斜視図、（ｂ）は、同カメラの後側斜視図である。
【図１０】(a)は、本発明の結像光学系を用いた携帯電話の概略構成を示す正面図、(b)は、同側面図である。
【符号の説明】
【００５３】
Ｓ          絞り
Ｐ          撮像素子面
Ｌ１１、Ｌ２１、Ｌ３１、Ｌ４１    正屈折力の第１レンズ
Ｌ１２、Ｌ２２、Ｌ３２、Ｌ４２    正屈折力の第２レンズ
Ｌ１３、Ｌ２３、Ｌ３３、Ｌ４３    負屈折力の第３レンズ
Ｌ１４、Ｌ２４、Ｌ３４、Ｌ４４    正屈折力の第４レンズ
１          撮影光学系
２          撮影光路
３          ファインダー光学系
４          ファインダー用光路
５          シャッター釦
６          フラッシュ
７          液晶表示モニター
１０        マイク部
１１        スピーカ部
１２        入力ダイアル
１３        モニター
１４        撮影光学系
１５        アンテナ
１６        撮影光路
【図１】
0004658517.tif 000003
【図２】
0004658517.tif 000004
【図３】
0004658517.tif 000005
【図４】
0004658517.tif 000006
【図５】
0004658517.tif 000007
【図６】
0004658517.tif 000008
【図７】
0004658517.tif 000009
【図８】
0004658517.tif 000010
【図９】
0004658517.tif 000011
【図１０】
0004658517.tif 000012